(57)【要約】【課題】コストの上昇を防止することができるオーガ式製氷機を提供することを目的する。【解決手段】オーガ式製氷機１は、内部にオーガ１５を有する冷凍ケーシング１８と、前記オーガ１５の回転駆動を行うギャードモータ２とを備えている。前記オーガ式製氷機１の制御回路Ｃは、ギヤードモータ２を制御する制御用電圧閾値を設定するために用いる、２点の指定電圧値を記憶する第１のメモリＣ１と、第１のメモリＣ１に記憶された指定電圧値に基づいて制御用電圧閾値を計算する第１の計算手段Ｃ２と備える。また、制御回路Ｃは、ギヤードモータ２を制御する制御用電流閾値を設定するために用いる、２点の指定電流値を記憶する第２のメモリＣ３と、第２のメモリＣ３に記憶された指定電流値に基づいて制御用電流閾値を計算する第２の計算手段Ｃ４と備える。【選択図】図３
2004093014.tif 000002
【特許請求の範囲】
【請求項１】
内部にオーガを有する冷凍ケーシングと、前記オーガの回転駆動を行うギャードモータとを備えたオーガ式製氷機において、
前記ギャードモータを制御する制御用電圧閾値を設定するために用いる、２点の指定電圧値を記憶する記憶手段と、
前記記憶手段に記憶された指定電圧値に基づいて制御用電圧閾値を計算する計算手段とを備えることを特徴とするオーガ式製氷機。
【請求項２】
内部にオーガを有する冷凍ケーシングと、前記オーガの回転駆動を行うギャードモータとを備えたオーガ式製氷機において、
前記ギャードモータを制御する制御用電流閾値を設定するために用いる、２点の指定電流値を記憶する記憶手段と、
前記記憶手段に記憶された指定電流値に基づいて制御用電流閾値を計算する計算手段とを備えることを特徴とするオーガ式製氷機。
【発明の詳細な説明】
【０００１】
【発明の属する技術分野】
本発明は、内部にオーガを有する冷凍ケーシングと、前記オーガの回転駆動を行うギャードモータとを備えたオーガ式製氷機に関し、特に、オーガ式製氷機のギャードモータを制御する制御用電圧閾値及び制御用電流閾値の設定に関する。
【０００２】
【従来の技術】
従来、オーガ式製氷機のオーガを駆動するギャードモータに印可する電源電圧回路の電圧が、所定値（制御用電圧閾値）以下に低下した場合、ギャードモータを停止して、オーガ式製氷機の製氷運転を停止するものが知られている（特開２０００−１９９６６３号公報参照）。また、オーガを駆動するギャードモータに流れる電流を検出し、所定値（制御用電流閾値）と比較することにより、ハンチングを起こしているか否かを判別して、ハンチングを起こしている場合、オーガ式製氷機の製氷運転を停止するものが知られている（特開２００２−１４７９０９号公報参照）。ここで、ハンチングとは、氷詰まり等により、正転していたオーガがシリンダ内壁に付いた氷を掻き取ることができずに、その衝撃で逆転した後に更にオーガが氷に衝突して再び正転し、正転と逆転とを繰り返す現象をいう。
【０００３】
【発明が解決しようとする課題】
しかし、この種のオーガ式製氷機は、制御用電圧閾値及び制御用電流閾値を、制御用基板上のメモリに固定値として記憶させていたが、制御用基板上の回路のばらつき及び電圧センサ等の部品の廃止等により、固定値として制御用電圧閾値及び制御用電流閾値を使用すると、製氷運転の停止条件にばらつきが生じ、正常に作動しないおそれがあった。
【０００４】
そのため、オーガ式製氷機の出荷検査時に、制御用電圧閾値及び制御用電流閾値として、指定電圧及び指定電流を入力して制御用基板のメモリに変動値として記憶させることにより、制御用基板上の回路等のばらつきを防止して、製氷運転の停止条件のばらつきを防止する。
しかし、オーガ式製氷機の仕様電源電圧の種類が増えると、その制御用電圧閾値及び制御用電流閾値が増すため、出荷検査における指定電圧及び指定電流の増加による設備費の増加、検査時間の増加が生じ、その結果として、制御用基板のコストが上昇することになる。また、このような制御用電圧閾値及び制御用電流閾値のすべてをメモリに記憶することは、記憶容量の大きいメモリが必要となって、コストが上昇することになる。
【０００５】
そこで、本発明は、上述した問題を解決するためになされたものであり、コストの上昇を防止することができるオーガ式製氷機を提供することを目的する。
【０００６】
【課題を解決するための手段】
前記目的を達成するため請求項１に係る発明によれば、内部にオーガを有する冷凍ケーシングと、前記オーガの回転駆動を行うギャードモータとを備えたオーガ式製氷機において、前記ギャードモータを制御する制御用電圧閾値を設定するために用いる、２点の指定電圧値を記憶する記憶手段と、前記記憶手段に記憶された指定電圧値に基づいて制御用電圧閾値を計算する計算手段とを備えることを特徴とする。
【０００７】
請求項１に係る本発明によれば、記憶手段に記憶された指定電圧値に基づいて、計算手段が制御用電圧閾値を計算するので、仕様電源電圧の種類が増えると、それに対応する制御用電圧閾値も異なり、制御用電圧閾値の個数も増えることになるが、制御用電圧閾値を計算手段でもって算出するため、出荷検査における指定電圧の増加による設備費の増加及び検査時間の増加を防止するとともに、制御用電圧閾値すべてをメモリに記憶することが不要になる。それにより、制御用基板を廉価で製造でき、制御用電圧閾値を記憶するメモリのコストの上昇を防止するので、オーガ式製氷機を廉価で製造することができる。
【０００８】
また、請求項２に記載の本発明によれば、内部にオーガを有する冷凍ケーシングと、前記オーガの回転駆動を行うギャードモータとを備えたオーガ式製氷機において、前記ギャードモータを制御する制御用電流閾値を設定するために用いる、２点の指定電流値を記憶する記憶手段と、前記記憶手段に記憶された指定電流値に基づいて制御用電流閾値を計算する計算手段とを備えることを特徴とする。
【０００９】
また、請求項２に係る本発明によれば、記憶手段に記憶された指定電流値に基づいて、計算手段が制御用電流閾値を計算するので、仕様電源電圧の種類が増えると、それに対応する制御用電流閾値も異なり、制御用電流閾値の個数も増えることになるが、制御用電流閾値を計算手段でもって算出するため、出荷検査における指定電流の増加による設備費の増加及び検査時間の増加を防止するとともに、制御用電流閾値すべてをメモリに記憶することが不要になる。それにより、制御用基板を廉価で製造でき、制御用電流閾値を記憶するメモリのコストの上昇を防止するので、オーガ式製氷機を廉価で製造することができる。
【００１０】
【発明の実施の形態】
以下、本発明に係るオーガ式製氷機につき具体化した実施形態に基づいて図面参照しつつ詳細に説明する。図１は、本実施の形態のオーガ式製氷機を示す全体概略図、図２はオーガ式製氷機の分解斜視図である。
図１、図２に示すオーガ式製氷機１において、その下部にはギャードモータ２が配設されており、このギャードモータ２は、駆動モータ３と減速装置４とが一体に構成されている。駆動モータ３は交流モータによって構成され、また、減速装置４内に設けられた減速機構には平行軸平歯車３段方式が使用されている。また、減速装置４は、アルミダイキャスト製の下カバー４Ａ及び上カバー４Ｂを有し、下カバー４Ａと上カバー４Ｂとは、複数個の六角穴付ボルト５を介して相互に締結されている。更に、ギャードモータ２は、長尺状の六角穴付ボルト５’を各上カバー４Ａ、下カバー４Ｂに貫通させることにより、図示しないベース（オーガ式製氷機１を固定するためのベース）に対して固定されている。
【００１１】
減速装置４の上カバー４Ｂには連結口６が設けられており、この連結口６には減速機構の出力軸７が臨んでいる。出力軸７にはスプライン継手８の下端が取り付けられ、また、スプライン継手８の上端は後述するオーガ１５の下端部に連結されている。連結口６の周囲に形成された上カバー４Ｂのフランジ部９は、ハウジング１０の下部に形成されたフランジ部１１と重ね合わされ、複数箇所で六角穴付ボルト５を介して相互に締結されている。ハウジング１０は、ギャードモータ２と冷凍ケーシング１８とを相互に接続固定する作用を行うものである。
【００１２】
オーガ１５はステンレスから形成されており、その周囲に螺旋状のオーガ歯１５Ａを有する。かかるオーガ歯１５Ａは、冷凍ケーシング１８内で成長したシャーベット状の氷を冷凍ケーシング１８の内壁から剥ぎ取りながら冷凍ケーシング１８の上方に向かって押し上げる作用を行う。また、オーガ１５の下端部１５Ｂは、ハウジング１０内でスプライン継手８の上端に連結されている。これにより、オーガ１５は、ギャードモータ２（駆動モータ３、減速装置４）、及び、スプライン継手８を介して、ゆっくりと回転され、その回転に伴って冷凍ケーシング１８内で成長した氷を上方に押し上げる。
尚、オーガ１５の下端部１５Ｂの上方位置にはメカニカルシール１６が配置され、このメカニカルシール１６は、冷凍ケーシング１８内に供給される製氷水が漏出しないようにシールを行うものである。また、Ｏリング１７が、ハウジング１０の周壁に配置されている。
【００１３】
冷凍ケーシング１８はステンレス製の製氷シリンダ１９を有しており、また、その外周壁は断熱材（発砲ポリウレタン）から形成されている。シリンダ１９のシリンダ壁１９Ａの外周には銅製の冷却パイプ２０が巻かれている。冷却パイプ２０は、公知の冷凍ユニット（コンプレッサ、コンデンサ等からなる）に接続されている。そして、冷却パイプ２０内に導入された冷媒は、急激な圧力低下に基づいて冷却パイプ２０内で蒸発され、この時に、多量の気化熱を奪うことから、製氷シリンダ１９内の温度が急激に低下されるとともに、製氷シリンダ１９におけるシリンダ壁１９Ａの内面の製氷水が氷結されるものである。
冷凍ケーシング１８の上部位置において、製氷シリンダ１９内の上端部には、ステンレス製の氷圧縮ヘッド２１が嵌合されており、かかる氷圧縮ヘッド２１と製氷シリンダ１９の上部とは、座金２２を介して六角穴付ボルト５により複数箇所にて締結固定されている。
【００１４】
また、氷圧縮ヘッド２１の内部には、樹脂製の軸受（図示せず）が嵌着されており、この軸受には、製氷シリンダ１９内に挿通されたオーガ１５の上端部１５Ｃが回転可能に支持されている。更に、オーガ１５における上端部１５Ｃの頂部には、座金２３を介してカッタ２４が六角ボルト２５により固定されており、カッタ２４はオーガ１５の回転に従って回転される。ここに、氷圧縮ヘッド２１は固定刃としての作用を行い、前記のようにオーガ１５を介して製氷シリンダ１９内を上方に押し上げられたシャーベット状の氷は、氷圧縮ヘッド２１により圧縮されて柱状の氷となるとともに、カッタ２４を介して削られてフレーク状の氷が生成されるものである。このように生成されたフレーク状の氷は、氷排出部３１から矢印Ａ方向に排出される。
【００１５】
また、冷凍ケーシング１８の上部には、排水パイプ２６が一体に形成された露受皿２７が配設されており、この露受皿２７は、六角穴付ボルト５の付近から漏水する製氷水を受けるとともに、排水パイプ２６を介して排出するものである。更に、冷凍ケーシング１８の下部には、製氷シリンダ１９の内部に連通する吸水口２８が形成されている。この吸水口２８には、公知の製氷水供給タンクが連結されており、吸水口２８から矢印２８Ｂ方向に沿って製氷シリンダ１９内に供給された製氷水が製氷シリンダ１９内で前記のように製氷されるものである。
更に、冷凍ケーシング１８の下部位置において、製氷シリンダ１９の内部には前記したハウジング１０が配設されており、冷凍ケーシング１８の下部とハウジング１０とは、六角穴付ボルト５により複数箇所にて締結固定されている。
【００１６】
次に、上記のように構成したオーガ式製氷機１の制御装置Ｃについて説明する。図３は、オーガ式製氷機１の電気的な構成を示すブロック図である。
外部電源Ｇは、ギヤードモータ２と接続され、ギヤードモータ２に電流を印可する。また、外部電源Ｇは、低電圧に変換する電圧測定用の第１の変圧器Ｈ１を介して、第１のＡ／Ｄ変換器Ａ１に接続され、更に第１のＡ／Ｄ変換器Ａ１は、制御回路Ｃに接続されている。そのため、外部電源Ｇの電圧信号が低電圧に変圧された後に、その低電圧の信号（アナログ信号）に対応するデジタル化されたデータが、制御回路Ｃに入力されるので、制御回路Ｃは外部電源Ｇの現在の電圧信号の大きさを把握することができる。
【００１７】
また、ギヤードモータ２は、電流電圧変換用の第２の変圧器Ｈ２を介して、第２のＡ／Ｄ変換器Ａ１に接続され、更に第２のＡ／Ｄ変換器Ａ１は、制御回路Ｃに接続されている。そのため、ギヤードモータ２を流れる電流は、第２の変圧器Ｈ２でもって電圧信号に変換され、その電圧信号（アナログ信号）に対応するデジタル化されたデータが、制御回路Ｃに入力されるので、制御回路Ｃはギヤードモータ２を流れる電流の大きさを把握することができる。
【００１８】
制御回路Ｃは、ギヤードモータ２を制御する制御用電圧閾値を設定するために用いる、２点の指定電圧値を記憶する記憶手段としての第１のメモリＣ１と、第１のメモリＣ１に記憶された指定電圧値に基づいて制御用電圧閾値を計算する第１の計算手段Ｃ２と備える。また、制御回路Ｃは、ギヤードモータ２を制御する制御用電流閾値を設定するために用いる、２点の指定電流値を記憶する記憶手段としての第２のメモリＣ３と、第２のメモリＣ３に記憶された指定電流値に基づいて制御用電流閾値を計算する第２の計算手段Ｃ４と備える。制御回路Ｃは、制御用電圧閾値及び制御用電流閾値に基づいてギヤードモータ２の駆動を制御することができる。
【００１９】
制御用電圧閾値は、定格電圧（例えば２００Ｖ）の３０パーセント低い停止電圧と、停止電圧より高くて製氷運転に支障を来さない復帰電圧（定格電圧より例えば１５パーセント低い電圧）を設定するために使用される。定格電圧としては、仕様電源電圧が増えたために、例えば２４０Ｖ、２３０Ｖ、２２０Ｖ、２００Ｖ、１２０Ｖ、１１５Ｖ、１１０Ｖ、１００Ｖの８種類を使用するので、制御用電圧閾値として用いられる停止電圧及び復帰電圧は、１６個分必要になる。しかし、このような停止電圧及び復帰電圧のデータをメモリに１６個分記憶すると、大きなメモリ容量が必要になる。そのため、２点の指定電圧値を第１のメモリＣ１に記憶し、第１の計算手段Ｃ２が第１のメモリＣ１に記憶された指定電圧値に基づいて制御用電圧閾値を計算する方が、停止電圧及び復帰電圧のデータを記憶するメモリ容量が少なくて済むことになる。尚、２４０Ｖ、２３０Ｖ、２２０Ｖ、２００Ｖ、１２０Ｖ、１１５Ｖ、１１０Ｖ、１００Ｖの８種類の電圧の切換は、例えばディプスイッチ等の切換手段でもって切り換えても良い。
【００２０】
制御用電流閾値は、上述したハンチングを検出した際にギヤードモータ２を停止するために使用される。例えばギヤードモータ２を流れる電流が、所定時間内に所定回数以上だけ、下限制御用電流閾値（例えば４アンペア）及び上限制御用電流閾値（例えば５アンペア）を交差するように増減することにより、ハンチングの発生が検出されるので、１つの電圧例えば２４０Ｖ等に対して２個の制御用電流閾値が使用されることになる。このように１つの電圧例えば２４０Ｖ等に対して２個の制御用電流閾値が使用されると、定格電圧が８種類あるので、制御用電流閾値のデータを１６個分メモリに記憶する必要があるので、大きなメモリ容量を占めることになる。そのため、２点の指定電流値を第２のメモリＣ３に記憶し、第２の計算手段Ｃ４が第２のメモリＣ３に記憶された指定電流値に基づいて制御用電流閾値を計算する方が、制御用電流閾値のデータ全てを記憶するメモリ容量が少なくて済むことになる。制御用電流閾値は、例えば６０Ｗ、８０Ｗ等の電力に対して、２個の制御用電流閾値を使用してもよい。
【００２１】
次に、メモリに記憶された指定電圧値に基づいて、制御用電圧閾値を計算する方法について、図４に示すフローチャートに基づいて説明する。
オーガ式製氷機１の出荷検査時に、指定電圧値として、２４０ボルトを入力する（Ｓ１）。その２４０ボルトは、低電圧に変換された後に、第１のＡ／Ｄ変換器Ａ１によって、その信号がデジタル化されて、第１のメモリＣ１に記憶される（Ｓ２）。デジタル化された数値は、制御回路Ｃのコントロールボード毎に異なることがあっても、第１のメモリＣ１に記憶されたその数値は、２４０ボルトに一義的に対応する。すなわち、第１のメモリＣ１に記憶された数値は、制御回路Ｃのコントロールボードによって、例えば、「２４２」（Ａコントロールボードの場合）とか「２３６」（Ｂコントロールボードの場合）とか具体的数値が異なることがあるが、いずれの具体的数値によっても、そのコントロールボードにおいては、２４０ボルトに一義的に対応するので、制御用基板上の回路等のばらつきを防止することができる。
【００２２】
次に、指定電圧値として、１００ボルトを入力する（Ｓ３）。その１００ボルトは、低電圧に変換された後に、第１のＡ／Ｄ変換器Ａ１によって、その信号がデジタル化されて、第１のメモリＣ１に記憶される（Ｓ４）。デジタル化された数値は、制御回路Ｃのコントロールボード毎に異なることがあっても、第１のメモリＣ１に記憶されたその数値は、１００ボルトに一義的に対応する。すなわち、第１のメモリＣ１に記憶された数値は、制御回路Ｃのコントロールボードによって、例えば、「１０２」（Ａコントロールボードの場合）とか「９６」（Ｂコントロールボードの場合）とか具体的数値が異なることがあるが、いずれの具体的数値によっても、そのコントロールボードにおいては、１００ボルトに一義的に対応するので、制御用基板上の回路等のばらつきを防止することができる。
【００２３】
次に、制御用電圧閾値を求めるため、２４０ボルトに対応するデジタル化された数値及び１００ボルトに対応するデジタル化された数値の差を、２４０ボルト及び１００ボルトの差でもって割り算して、一次式の勾配を計算し、一次式を求める（Ｓ５）。すなわち、Ａコントロールボードの場合デジタル化された具体的数値「２４２」及び「１０２」の差を、２４０ボルト及び１００ボルトの差でもって割り算して一次式の勾配を計算して一次式を求め、Ｂコントロールボードの場合、デジタル化された具体的数値「２３６」及び「９６」の差を、２４０ボルト及び１００ボルトの差でもって割り算して、一次式の勾配を計算して一次式を求める。この場合、Ａコントロールボード及びＢコントロールボード、いずれも一次式の勾配は「１」であり、Ａコントロールボードの一次式は、ｙ＝ｘ＋２、Ｂコントロールボードの一次式は、ｙ＝ｘ−４となる。
その後、それぞれの機種の制御用電圧閾値を求めて、第１のメモリＣ１に記憶する（Ｓ６）。すなわち、仕様電源電圧２４０Ｖ、２３０Ｖ、２２０Ｖ、２００Ｖ、１２０Ｖ、１１５Ｖ、１１０Ｖ、１００Ｖのうちのいずれの電圧を使用するか、オーガ式製氷機１毎に設定されているので、コントロールボード毎に求められた計算式により、そのオーガ式製氷機１に対する制御用電圧閾値を求めて、第１のメモリＣ１に記憶する。このように第１のメモリＣ１に記憶された指定電圧値に基づいてコントロールボード毎に求められた計算式により、仕様電源電圧に対応する制御用電圧閾値を求めることは、記憶手段に記憶された指定電圧値に基づいて制御用電圧閾値を計算したことになる。
尚、製品出荷時にＳ１乃至Ｓ６のすべてを実行する必要はなく、製品出荷時にＳ１乃至Ｓ３を実行し、その後のメイン処理としてＳ４乃至Ｓ６を実行してもよい。
【００２４】
次に、メモリに記憶された指定電流値に基づいて、制御用電流閾値を計算する方法について、図５に示すフローチャートに基づいて説明する。
オーガ式製氷機１の出荷検査時に、指定電流値として、２アンペアを入力する（Ｓ１１）。その２アンペアは、第２のＡ／Ｄ変換器Ａ２によって、その信号がデジタル化されて、第２のメモリＣ３に記憶される（Ｓ１２）。デジタル化された数値は、制御回路Ｃのコントロールボード毎に異なることがあっても、第２のメモリＣ３に記憶されたその数値は、２アンペアに一義的に対応する。すなわち、第２のメモリＣ３に記憶された数値は、制御回路Ｃのコントロールボードによって、例えば、「２２」（Ａコントロールボードの場合）とか「２０」（Ｂコントロールボードの場合）とか具体的数値が異なることがあるが、いずれの具体的数値によっても、そのコントロールボードにおいては、２アンペアに一義的に対応するので、制御用基板上の回路等のばらつきを防止することができる。
【００２５】
次に、指定電流値として、３アンペアを入力する（Ｓ１３）。その３アンペアは、第２のＡ／Ｄ変換器Ａ２によって、その信号がデジタル化されて、第２のメモリＣ３に記憶される（Ｓ１４）。デジタル化された数値は、制御回路Ｃのコントロールボード毎に異なることがあっても、第２のメモリＣ３に記憶されたその数値は、３アンペアに一義的に対応する。
すなわち、第２のメモリＣ３に記憶された数値は、制御回路Ｃのコントロールボードによって、例えば、「３２」（Ａコントロールボードの場合）とか「３０」（Ｂコントロールボードの場合）とか具体的数値が異なることがあるが、いずれの具体的数値によっても、そのコントロールボードにおいては、３アンペアに一義的に対応するので、制御用基板上の回路等のばらつきを防止することができる。
【００２６】
次に、制御用電流閾値を求めるため、２アンペアに対応するデジタル化された数値及び３アンペアに対応するデジタル化された数値の差を、３アンペア及び２アンペアの差でもって割り算して、一次式の勾配を計算し一次式を求める（Ｓ１５）。すなわち、Ａコントロールボードの場合デジタル化された具体的数値「３２」及び「２２」の差を、３アンペア及び２アンペアの差でもって割り算して一次式の勾配を計算して一次式を求め、Ｂコントロールボードの場合、デジタル化された具体的数値「３０」及び「２０」の差を、３アンペア及び２アンペアの差でもって割り算して、一次式の勾配を計算して一次式を求める。この場合、Ａコントロールボード及びＢコントロールボード、いずれも一次式の勾配は「１０」であり、Ａコントロールボードの一次式は、ｙ＝１０ｘ＋２、Ｂコントロールボードの一次式は、ｙ＝１０ｘとなる。
その後、それぞれの機種の制御用電流閾値を求めて、第２のメモリＣ３に記憶する（Ｓ１６）。すなわち、仕様電源電圧２４０Ｖ、２３０Ｖ、２２０Ｖ、２００Ｖ、１２０Ｖ、１１５Ｖ、１１０Ｖ、１００Ｖのうちのいずれの電圧を使用するか、オーガ式製氷機１毎に設定されているので、コントロールボード毎に上記した計算式により、そのオーガ式製氷機１に対する制御用電流閾値を求めて、第２のメモリＣ３に記憶する。このように第２のメモリＣ３に記憶された指定電圧値に基づいてコントロールボード毎に求められた計算式により、仕様電源電圧に対応する制御用電流閾値を求めることは、記憶手段に記憶された指定電流値に基づいて制御用電流閾値を計算したことになる。
尚、製品出荷時にＳ１１乃至Ｓ１６のすべてを実行する必要はなく、製品出荷時にＳ１１乃至Ｓ１３を実行し、その後のメイン処理としてＳ１４乃至Ｓ１６を実行してもよい。
【００２７】
以上、詳述した実施の形態のよれば、内部にオーガ１５を有する冷凍ケーシング１８と、前記オーガ１５の回転駆動を行うギャードモータ２とを備えるオーガ式製氷機１において、ギヤードモータ２を制御する制御用電圧閾値を設定するために用いる、２点の指定電圧値を記憶する第１のメモリＣ１と、第１のメモリＣ１に記憶された指定電圧値に基づいて制御用電圧閾値を計算する第１の計算手段Ｃ２と、ギヤードモータ２を制御する制御用電流閾値を設定するために用いる、２点の指定電流値を記憶する第２のメモリＣ３と、第２のメモリＣ３に記憶された指定電流値に基づいて制御用電流閾値を計算する第２の計算手段Ｃ４と備えるので、仕様電源電圧の種類が増えると、それに対応する制御用電圧閾値及び制御用電流閾値の個数も増えることになるが、制御用電圧閾値及び制御用電流閾値を計算手段でもって算出するため、出荷検査における指定電圧及び指定電流の増加による設備費の増加及び検査時間の増加を防止するとともに、制御用電圧閾値及び制御用電流閾値すべてをメモリに記憶することが不要になる。それにより、出荷検査における指定電圧及び指定電流の増加による設備費の増加を防止して、制御用基板を廉価で製造でき、制御用電圧閾値及び制御用電流閾値を記憶するメモリのコストの上昇を防止するので、オーガ式製氷機１を廉価で製造することができる。
【００２８】
尚、本発明は、前記各実施形態に限定されるものではなく、本発明の要旨を逸脱しない範囲内で種々の改良、変形が可能であることは勿論である。
また、本発明の実施の形態は上述した例に限らず、様々な形態に応用が可能である。例えば、低電圧を検出した場合にオーガ式製氷機１を停止させる構成を採用した場合に、制御用電圧閾値及び制御用電流閾値を仕様電源電圧の周波数により変更できるように構成してもよい。
【００２９】
【発明の効果】
請求項１に係る発明によれば、内部にオーガを有する冷凍ケーシングと、前記オーガの回転駆動を行うギャードモータとを備えたオーガ式製氷機において、前記ギャードモータを制御する制御用電圧閾値を設定するために用いる、２点の指定電圧値を記憶する記憶手段と、前記記憶手段に記憶された指定電圧値に基づいて制御用電圧閾値を計算する計算手段とを備えるので、仕様電源電圧の種類が増えると、それに対応する制御用電圧閾値も異なり、制御用電圧閾値の個数も増えることになるが、制御用電圧閾値を計算手段でもって算出するため、出荷検査における指定電圧の増加による設備費の増加及び検査時間の増加を防止するとともに、制御用電圧閾値すべてをメモリに記憶することが不要になる。それにより、制御用基板を廉価で製造でき、制御用電圧閾値を記憶するメモリのコストの上昇を防止するので、オーガ式製氷機を廉価で製造することができる。
【００３０】
請求項２に記載の本発明によれば、内部にオーガを有する冷凍ケーシングと、前記オーガの回転駆動を行うギャードモータとを備えたオーガ式製氷機において、前記ギャードモータを制御する制御用電流閾値を設定するために用いる、２点の指定電流値を記憶する記憶手段と、前記記憶手段に記憶された指定電流値に基づいて制御用電流閾値を計算する計算手段とを備えるので、仕様電源電圧の種類が増えると、それに対応する制御用電流閾値も異なり、制御用電流閾値の個数も増えることになるが、制御用電流閾値を計算手段でもって算出するため、出荷検査における指定電流の増加による設備費の増加及び検査時間の増加を防止するとともに、制御用電流閾値すべてをメモリに記憶することが不要になる。それにより、制御用基板を廉価で製造でき、制御用電流閾値を記憶するメモリのコストの上昇を防止するので、オーガ式製氷機を廉価で製造することができる。
【図面の簡単な説明】
【図１】本発明の一実施形態に係るオーガ式製氷機の全体概略図である。
【図２】実施形態に係るオーガ式製氷器の分解斜視図である。
【図３】実施形態に係るオーガ式製氷器のブロック図である。
【図４】制御回路によって実行される制御用電圧閾値の算出用プログラムを示すフローチャートである。
【図５】制御回路によって実行される制御用電流閾値の算出用プログラムを示すフローチャートである。
【符号の説明】
１８・・・冷凍ケーシング、１５・・・オーガ、２・・・ギャードモータ、
Ｃ１・・・第１のメモリ（記憶手段）、Ｃ２・・・第１の計算手段、
Ｃ３・・・第２のメモリ（記憶手段）、Ｃ４・・・第２の計算手段、
Ｃ・・・制御回路
【図１】
2004093014.tif 000003
【図２】
2004093014.tif 000004
【図３】
2004093014.tif 000005
【図４】
2004093014.tif 000006
【図５】
2004093014.tif 000007